(57)【要約】  データセンターデータセットおよび他の情報は、携帯型デバイスを用いて拡張現実感に視覚的に表示される。この情報の視覚表示は、実際のデータセンター環境の視覚表示と共に提示される。これら２つの表示の組み合わせは、インストールする人および技術者が、彼らが作業している環境に視覚的に相関した指示または他のデータを見ることを可能にする。
2014517944.tif 000002
【特許請求の範囲】
【請求項１】
ネットワークデータセンターについてのデータをユーザに報告するためのシステムであって、
前記ネットワークデータセンター内の装置についての前記データを前記ユーザにデータビューにおいて提供するように適合された機器であって、前記データビューが、拡張現実感オーバーレイにおけるデータセンターハードウェアの視覚描写に視覚的に重ねるように、前記機器が、前記データセンターハードウェアの視覚描写と組み合わせて前記データを提供する、機器を備える、システム。
【請求項２】
前記機器は拡張現実感眼鏡を備える、請求項１に記載のシステム。
【請求項３】
前記機器は手持ち式デバイスを備える、請求項１に記載のシステム。
【請求項４】
前記データビューは、前記拡張現実感オーバーレイから選択される項目についての物理的位置ツリートポロジーを描写するインフラストラクチャ管理ビューである、請求項１に記載のシステム。
【請求項５】
前記データビューは、仮想マシンが前記機器のデータビュー内においてハードウェア上で実行される際に、前記仮想マシンの可視化を描写する仮想マシン論理ビューである、請求項１に記載のシステム。
【請求項６】
前記データビューは、完了した作業命令の期待される結果の描写を前記ユーザに表示する、請求項１に記載のシステム。
【請求項７】
前記機器は、１つまたは複数の識別子を識別し、データベースから検索されるデータと前記識別子を関連付ける、請求項１に記載のシステム。
【請求項８】
システム内において電気通信装置を有する建物の少なくとも一部についてのデータを報告するための当該システムであって、
少なくとも１つの追跡可能なインジケータであって、当該インジケータに埋め込まれた追跡情報を有するインジケータと、
前記追跡情報を取得することに応答して、前記データを表示するように適合された機器と、を備える、システム。
【請求項９】
前記少なくとも１つの追跡可能なインジケータは、前記建物の少なくとも一部の近接領域に物理的に添付される、請求項８に記載のシステム。
【請求項１０】
前記追跡可能なインジケータは、視覚追跡可能なインジケータである、請求項８に記載のシステム。
【請求項１１】
前記機器は、前記追跡情報を視覚的に取得する、請求項１０に記載のシステム。
【請求項１２】
前記データは、前記電気通信装置についての最後に知られた情報または実時間情報、あるいは、それがインストールを管理する間前記装置に関する情報を含む、請求項８に記載のシステム。
【請求項１３】
前記データは、前記電気通信装置の絵画的表示を更に含む、請求項１２に記載のシステム。
【請求項１４】
前記絵画的表示は、ユーザの直接視野の実時間ビューに重ねられる、請求項１３に記載のシステム。
【請求項１５】
前記追跡情報を取得すると、前記機器は、前記データを得るためにデータベースに問い合わせをする、請求項８に記載のシステム。
【発明の詳細な説明】
【背景技術】
【０００１】
データセンターは、管理するために複数の訓練および技術所有者を必要とする極めて動的な環境である。典型的には、会社内の異なる部署は、異なる機能、デプロイメント、ならびに業務、例えば、空間割り当て、ストレージ、ネットワークアセット可用性、サーバプロビジョニング、および設備管理などを管理する責任がある。
【０００２】
これらのグループ間で情報を共有することは、スプレッドシートへの手動データ入力と、他の静止図ソフトウェアツール、例えばＡｕｔｏＣａｄ、ＭＳ  Ｖｉｓｉｏ、およびＡｐｅｒｔｕｒｅなどとによって達成されることが多い。手動入力と静止図ツールとのこの組み合わせは、種々のタスクについて更新された情報を必要とする人間に古い情報を提示することを結果的にもたらすことがある。そのようなタスクは、ハードウェアのインストールまたは再配置、あるいは既存のネットワーク構成要素間の接続のインストールまたは移動を含むであろう。
【発明の概要】
【発明が解決しようとする課題】
【０００３】
最新のシステム情報を、極めて有用な形式で、主要な技術者にこの情報を提示する能力と組み合わせるシステムに対するニーズがある。
【課題を解決するための手段】
【０００４】
それゆえに、一実施形態では、本発明は、ネットワークデータセンターについてのデータをユーザに報告するためのシステムであり、そのシステムは、ネットワークデータセンター内の装置についてのデータをユーザにデータビューにおいて提供するように適合された機器を備え、その機器は、データビューが、拡張現実感オーバーレイにおけるデータセンターハードウェアの視覚描写に視覚的に重ねて、データセンターハードウェアの実時間視覚描写と組み合わせてデータを提供する。
【０００５】
別の実施形態では、本発明は、システム内に電気通信装置を有する建物の少なくとも一部についてのデータを報告するためのシステムであり、そのシステムは、システム内に埋め込まれた追跡情報を有する少なくとも１つの追跡可能なインジケータと、追跡情報を取得することに応答してデータを表示するように適合された機器と、を備える。
【０００６】
この発明の上記や他の特徴および利点と、それらに到達する手法とは、より明らかになるであろうし、発明は、添付の図面と併用される発明の実施形態の以下の記載を参照することによってよりよく理解されるであろう。
【図面の簡単な説明】
【０００７】
【図１】本発明のいくつかの実施形態に係る拡張現実感システムを用いてユーザに示され得る情報の描写である。
【図２】本発明の一実施形態に係る拡張現実感表示を示す。
【図３】本発明の一実施形態に係る作業命令（ｗｏｒｋ  ｏｒｄｅｒ）に関連する項目を例示する。
【図４】本発明の一実施形態に係る拡張現実感ビューを示す。
【図５】本発明の一実施形態に係る追跡可能なインジケータの使用を示す組み合わせ図である。
【図６】本発明の一実施形態に係る平面ビューを示す携帯型デバイスを例示する。
【図７Ａ】本発明の一実施形態に係る技術者をガイドする携帯型デバイスの図である。
【図７Ｂ】本発明の一実施形態に係る技術者をガイドする携帯型デバイスの図である。
【図７Ｃ】本発明の一実施形態に係る技術者をガイドする携帯型デバイスの図である。
【図７Ｄ】本発明の一実施形態に係る技術者をガイドする携帯型デバイスの図である。
【図７Ｅ】本発明の一実施形態に係る技術者をガイドする携帯型デバイスの図である。
【図７Ｆ】本発明の一実施形態に係る技術者をガイドする携帯型デバイスの図である。
【図７Ｇ】本発明の一実施形態に係る技術者をガイドする携帯型デバイスの図である。
【図７Ｈ】本発明の一実施形態に係る技術者をガイドする携帯型デバイスの図である。
【０００８】
対応する参照記号は、いくつかの図面を通じて対応する部分を示す。本明細書に提示された実例は、一形態における、発明の好適な実施形態を例示し、そのような実例は、いかなる手法によっても発明の範囲を限定するものと解釈されない。
【発明を実施するための形態】
【０００９】
本発明のいくつかの実施形態に係るシステムおよび方法は、データセンター操作、ネットワーク起動時間または帯域幅能力、環境およびインフラストラクチャ状況のシームレスかつ全体論的なビューを提供するために、拡張現実感ツールをネットワーク設計および操作上のツールと組み合わせる。本発明の一実施形態では、手持ち式可視化ツール、例えばカメラをビデオ表示と組み合わせる手持ち式デバイスなどが、カメラによって見られるような実世界ビューを実世界ビューに関連するデータまたは画像のコンピュータで提供されたオーバーレイと組み合わせるために使用される。特徴のそのような組み合わせは、多くの利点を生みだす。
【００１０】
本システムの１つの利点は、アセットの着手または調達前のデータセンター計画が、より一層効率的に行われ得ることである。このことは、例えば、データセンター空間の実世界ビューがデータセンターアセットの仮想ビューと組み合わされ得るために、生じる。このことは、データセンター空間とデータセンター内にインストールされるアセットとの間で空間効率のよい通信を可能にする。
【００１１】
本システムの別の利点は、データセンターにおける接続性の移動、追加、および変更（ＭＡＣ）の間の操作効率が向上することである。更に、データセンター情報の大規模ビューと微小ビューとの両方は、ユーザに大きく、データバランスをとって見ること（ｄａｔａ  ｐｅｒｓｐｅｃｔｉｖｅ  ｖｉｅｗｉｎｇ）を提供することができる一方で、また、ユーザが、微小レベルの情報まで掘り下げることを可能にする。このことは、ユーザが拡張現実感（ＡＲ）視覚の上方からの３Ｄビューを有することを可能にする「飛行（ｆｌｙ）」特徴（図１を参照）であって、ユーザが、仮想位置間をその位置間を歩く必要なしにディスプレイを用いて迅速に移動することを可能にする特徴によって達成され得る。そのようなビューは、ユーザが潜在的に大きな環境の中を移動している際に、ユーザが、データセンターを歩きまわることと、一連のビュー（アプリケーションビュー、温度ビュー、電力ビュー、計画されたビュー）を動的に引き出す能力があることとを可能にする。
【００１２】
非常に正確な位置ガイドは、作業命令デプロイメント、ハードウェアインプリメンテーションマッピング、ポート接続性、仮想マシンマッピング、複数サーバへの仮想マシン変換、データセンター内の問題領域への技術者デプロイメント、セキュリティ侵害、緊急対応、およびユーザアセットデプロイメントを含む多数のシナリオにおける使用のためにデータセンターにおいて利用され得る。
【００１３】
異なる実施形態では、複数機器が、視覚データを見るために使用されてもよく、拡張現実感（ＡＲ）眼鏡、仮想現実感ゴーグル、またはＰＤＡなどの手持ち式デバイスを含み、その手持ち式デバイスは、特定の項目についての情報を取得するためにデータセンター内の特定のデバイス、キャビネット、または領域に指され得る。
【００１４】
図１は、ＡＲによってユーザに提供され得る情報の描写である。ＡＲ眼鏡を用いて、ユーザは、ラックまたはキャビネットに近づくことになり、特定のデバイスに焦点を当てると、環境または電力データを引き出す。図１に見られるように、ユーザは、ラックビュー１０から異なるデバイスを選択することができるし、ＡＲソフトウェアを用いることによって、ユーザによって選択された特定のハードウェアに関連する異なるデータを抽出することができる。
【００１５】
ユーザは、接続性データを選択して、デバイスの端から端までの接続性マッピングをＡＲ眼鏡を通して視覚的に見てもよい。図１はまた、（データセンターをトップダウンで見ることを示す）「リフト（ｌｉｆｔ）」ビュー特徴１２を示す。このことは、ユーザが、例えば情報ビュー１３において、ある一定のラックまたはキャビネットをトップダウンビューから視覚的に選ぶことによって情報を引き出すことを可能にする。そのトップダウンビューから、ユーザは、特定のキャビネットについてのロールアップデータを得ることができるし、あるいは、監視用の一定のデバイスを選ぶために２Ｄ立面図ビューを引き出すことができる。このことは、非常に大きなデータセンターのために、また、データセンターを効率的にナビゲートするために有用であり得る。図１にまた示されるものは、ユーザが、ＡＲビューから選択された項目について物理的位置ツリートポロジービューを見ることを可能にするインフラストラクチャ管理ビュー１４である。仮想マシン論理ビュー１６は、仮想マシンの可視化を、それらの仮想マシンがＡＲデバイスのビュー内においてハードウェア上で実行される際に、可能にさせる。
【００１６】
図１のラックビュー１０では、ラック２０に追加されるサーバ１８は、ＡＲシステムによってラックビュー１０に挿入され、技術者がサーバ１８の以下のインストールを見ることになる際に、技術者にラック２０のビューを提供する。図１に更に見えるものは、ラック２０における予約された空間２１のＡＲビューである。図１に示されるように、ユーザは、データセンターにおける特定の位置内のアセット追跡のための拡張現実感（ＡＲ）を用いてそれらの没入型環境において情報を生で見ることができる。更に、ＡＲビューは、例えば、ねじ、ケーブルマネージャ、データケーブル、電力ケーブル、およびラベルなどのハードウェアをインストールするために指示を段階的に重ねて表示するために使用されてもよい。
【００１７】
ＡＲデータセンターソフトウェアは、受動的なデータおよび能動的な（実時間）データの両方を表示してもよい。例えば、電力データは、（ＡＲゴーグルを用いて、または手持ち式デバイス上のユーザインターフェースを用いて）覆い被される各特定のデバイス上に表示されてもよい。その上、ポートレベル接続性情報は、接続性管理デバイス（例えばＰａｎｄｕｉｔ社のＰＶｉＱデバイスなど）によって提供されてもよいし、ＨＵＤ（ヘッドアップディスプレイ）として表示されてもよい。そのようなビューの例は、図２に示され、ここで、ＡＲ表示上の軌跡（ｔｒａｃｅ）２２は、異なる価格のハードウェア間の接続の視覚指示を与える。
【００１８】
アプリケーション層情報は、デバイス毎に表示されてもよい。そのような情報は、使用中のオペレーティングシステム（ＯＳ）についての情報と、特定のブレードサーバ上にインストールされた仮想マシンについての情報と、端から端までのポート接続性、インストールされたソフトウェアアプリケーション、およびＳＬＡ（ソフトウェアライセンスアグリーメント、サービスレベルアグリーメント）監査についての情報と、を含んでもよい。
【００１９】
キャビネットレベル、ラックレベル、および部屋レベルのデータ／環境／電力データ集約、または「ロールアップ」はまた、ＡＲソフトウェア環境において表示されてもよい。例えば、ＡＲビューは、データセンター内の部屋、キャビネットの列、または特定のラックによる電力消失をユーザに例示するために使用されてもよい。部屋内の温度分布は、視覚的に表示されてもよい。ＡＲデータセンターソフトウェアは、作業命令ソフトウェア、例えばＰａｎｄｕｉｔ社の作業命令ソフトウェアなどで、または他のサードパーティベンダとの統合によって、ケーブル敷設の移動、追加、変更（ＭＡＣ）デプロイメントと、接続性変更の確認とのために使用されてもよい。図２は、ＡＲデータ表示２４および２６を示す。情報データ表示２４は、サーバについての情報を示し、作業命令データ表示２６は、ＭＡＣ業務に関わるポートを示す。
【００２０】
例えばＰａｎｄｕｉｔ社のＰＩＭ  Ｐｈｙｓｉｃａｌ  Ｉｎｆｒａｓｔｒｕｃｔｕｒｅ  Ｍａｎａｇｅｍｅｎｔ  Ｓｙｓｔｅｍなどの物理層情報システムと結合されたＡＲデータセンターソフトウェアは、接続性が実現され、追跡される物理層情報システムからの視覚確認を用いて、多くのアクティビティ、例えばサーバプロビジョニングおよびサーバ廃棄などにおいて、技術者に視覚的にガイドすることができる。例えば、図３は、本発明の一実施形態に係る作業命令に関わる指示およびビューを示す。
【００２１】
図３における項目１は、作業命令バーコードであり、作業命令自体についての識別情報を含む。図３に例示される作業命令は、項目３にリスト化された３つのピースの装置をインストールことと、それらのピースのうちの２つの間を接続することとを技術者に指示している。項目２は、そのピースが見つけられ得るところを示し、項目４および５は、そのピースがインストールされる部屋およびキャビネットをそれぞれ示す。図３における項目６は、各ピースがインストールされるラックユニット（ＲＵ）位置のバーコードリストである。項目７は、そのピースのうちの２つの間に作られる接続を技術者に示す。マップ３０は、インストールのために、正確なキャビネット位置、Ｂに技術者をガイドするために提供され得る。ＡＲビューに重ねて表示される立面図ビュー３２は、現在の作業命令を示すために提供される。
【００２２】
物理層情報システムと結合されたＡＲデータセンターソフトウェアは、一定のデバイスをキャビネットの中にデプロイすることの結果として生じることになる「仮の（ｗｈａｔ  ｉｆ）」シナリオを技術者に視覚的に提供する。ファクタ、例えばキャビネットおよび電力使用の健全性へのインストールの影響などが、表示され得る。更に、将来の増築のために予約された空間が、インストールの最終状態シナリオに示され得るように、ＡＲ表示上に示され得る。
【００２３】
物理層情報システムと結合されたＡＲデータセンターソフトウェアはまた、パッチフィールドレベルでのネットワーク接続性について迅速な意思決定を可能にするために、一定ポッド（ｐｏｄ）におけるポート可用性を技術者に視覚的に提供してもよい。
【００２４】
本発明の一実施形態では、ＡＲ技術は、より効率的なデータセンター構築を可能にするためにデータセンター情報と組み合わされる。この実施形態では、構築者は、構築の詳細を含むＡＲ眼鏡を装着する。段階的な構築情報は、インストールする人が、どこに、どのように、またどの順に構成要素がデプロイされるべきかを視覚的に指向的に見ることができるように、複数ソース（ＡｕｔｏＣａｄ図面、ＨＶＡＣ図面、作業命令システム、および同様のものなど）から供給される。接続点および他の詳細は、ＡＲ眼鏡を通してインストールする人に提供され得る。
【００２５】
本発明のいくつかの実施形態では、技術者は、作業命令を実行するためにＡＲデータセンター環境を通して視覚的にガイドされる。このことは、技術者が、ＡＲ環境において、図３に示されるような、作業命令の詳細を見ることを可能にする。次いで、技術者は、作業を完了するためにデータセンターの中を正確な領域、キャビネット、または装置のピースまで視覚的にガイドされる。この視覚的ガイドは、作業命令が実行される適切なキャビネット４２を技術者に示すＡＲビューにおける矢印４０で、図４に示される。
【００２６】
図５は、本発明の一実施形態に係るＡＲシステムの実施例を示す。図５の実施形態では、携帯型デバイス５０は、ゾーンボックス５４を物理的に開ける必要無くゾーンボックス５４内にインストールされるハードウェアのＡＲビュー５２を表示するために使用される。この例示において、ゾーンボックス５４は、近くの小部屋５５内のネットワーク装置の接続が可能なハードウェアを含む。追跡可能なインジケータ５６、例えばＱＲコード（登録商標）などは、携帯型デバイス５０上に提供されるカメラのビュー内にある。このことは、次に、ＡＲソフトウェアが、ゾーンボックス５４内に格納されたハードウェアに関する他の情報と共に画像を表示することを可能にする。
【００２７】
ＡＲデータ、例えば図５における画像表示またはＡＲビュー内に表示される接続性情報などは、データベースとの通信経由で携帯型デバイスまたは他のＡＲビューアーによって取得され得る。ＡＲ対応のデバイス５０上に提示するためのデータは、主データベースから取得され得る。物理的インフラストラクチャ管理システム（例えばＲＦＩＤ、バーコード、またはスイッチアップリンク方法など）内のアセット追跡特徴は、データベースを最新に維持するために使用されてもよい。ＡＲ対応のデバイスが特定の識別子（例えばインジケータ５６など）を一旦識別すると、デバイスは、データベースから（内部のまたは無線で）データを引き抜き、ＡＲビュー５２内にＡＲオーバーレイを表示する。見られるデータは、メニューを通してユーザによって選択されてもよい。
【００２８】
図６は、ゾーンボックスと小部屋内のネットワーク装置との間の接続を例示する接続性平面ビュー５８を用いる携帯型デバイス５０を示す。ゾーンボックス画像６０は、携帯型デバイス５０が指されるゾーンボックスの最後に知られたビューを例示するスナップショットであってもよい。接続性平面ビューは、ユーザによって選択された領域の間取りビューを例示する。スイッチ表示５９は、接続性平面ビュー５８に示される位置を提供するスイッチポートを表示するために同時に提供されてもよい。また、警告が、例えば接続性問題を示すために、これらのビュー内に提供されてもよい。
【００２９】
図７は、ネットワーク装置のインストールを必要とする作業命令を通して技術者をガイドしている携帯型デバイス５０上の一連のビューを示す。最初のビュー７０では、技術者は、作業命令の通知を受信する。次に、ビュー７２に示されるように、技術者の位置が判断され、マップイラスト７３が、デバイス上に示され、作業命令を完了するために必要とされる装置の位置に連れて行くために技術者のための経路を示す。次いで、ビュー７４に示されるように、２つ以上の比較可能な終点がデバイス５０上のカメラのビュー内にある場合に、ＡＲビューが、正確な終点を示すスクリーン上のインジケータ７５を配置するために使用される。正確な保管部屋に入ると、ビュー７６に示されるように、デバイス上のカメラは、作業命令を果たすために必要とされた装置上にインジケータ７７を配置するために、在庫表上に提供されたしるしを使用する。
【００３０】
技術者が、正確な装置のピックアップを一旦確認したら、ビュー７８に示されるように、マップイラスト７３が、装置がインストールされる目的地までの経路を示すために使用される。次に、インジケータ７７は、装置がインストールされる正確な列を示すために表示８０上に示される。技術者がラックに近づく際、インジケータ７７は、ビュー８２に示されるように正確なラックを示す。最後に、接続表示８３は、ビュー８４に示されるように装置の正確なインストールを通して技術者をガイドする。ＭＡＣが、（スイッチアップリンクまたは他の手段によって）一旦確認されていると、システム全体が、変更を反映するために、および、データベースにおける環境の厳密な表示を維持するために、更新される。
【００３１】
本発明の特定の実施形態が図示され、記載されたが、我々の発明の教示から逸脱することなくこれらの実施形態に変更がなされ得ることは、当業者に明らかになるであろう。図示され、記載された事項は、単に例示の目的で提供されたものにすぎず、限定するものではない。
【符号の説明】
【００３２】
１２  「リフト（ｌｉｆｔ）」ビュー特徴
１３  情報ビュー
１４  インフラストラクチャ管理ビュー
１６  仮想マシン論理ビュー
１８  サーバ
２０  ラック
【図１】
2014517944.tif 000003
【図２】
2014517944.tif 000004
【図３】
2014517944.tif 000005
【図４】
2014517944.tif 000006
【図５】
2014517944.tif 000007
【図６】
2014517944.tif 000008
【図７Ａ】
2014517944.tif 000009
【図７Ｂ】
2014517944.tif 000010
【図７Ｃ】
2014517944.tif 000011
【図７Ｄ】
2014517944.tif 000012
【図７Ｅ】
2014517944.tif 000013
【図７Ｆ】
2014517944.tif 000014
【図７Ｇ】
2014517944.tif 000015
【図７Ｈ】
2014517944.tif 000016
【国際調査報告】
2014517944.tif 000017
2014517944.tif 000018